(57)【特許請求の範囲】
【請求項１】
本体筐体と、
前記本体筐体の上面を開放する開放位置と、前記本体筐体の上面を覆う閉塞位置との間で前記本体筐体に対して回転可能に支持された蓋体と、
長方形状を成し、支持機構を介して前記蓋体に支持された表示装置とを備えた電子機器において、
前記支持機構は、
前記蓋体が開放位置にあるときに、
前記表示装置が横長の姿勢で下端部となる長辺部が前記蓋体の下端部に当接する第１横長位置と、横長の姿勢で下端部となる長辺部が前記蓋体の下端部から離隔した第２横長位置との間で移動可能となり、
かつ、
前記第２横長位置と縦長の姿勢で下端部となる短辺部が前記蓋体の下端部に当接する縦長位置との間で移動可能となるように、
前記表示装置の背面またはこれに対向する蓋体のいずれか一方に面に設けられ、前記蓋体を開閉可能に支持するヒンジ部の中心軸から離隔した第１ガイドピンと、
前記第１ガイドピンを設けた一方の面に設けられ、前記ヒンジ部の中心軸と前記第１ガイドピンとから離隔した第２ガイドピンと、
前記第１ガイドピンと前記第２ガイドピンとを設けた一方の面と対向する他方の面に設けられ、前記ヒンジ部の中心軸と直角方向に真っ直ぐに延在し、前記第１ガイドピンを案内する第１溝部と、
前記第１溝部を設けた他方の面に設けられ、前記第１溝部の周囲を取り囲むように、前記第１溝部と平行な直線部と、前記直線部から延在し、前記第１溝部の上端に案内された第１ガイドピンを中心とする円弧部と、前記円弧部から延在した曲線部とを有し、前記第２ガイドピンを案内する第２溝部と
を有することを特徴とする電子機器。
【請求項２】
前記支持機構は、前記表示装置を前記第１横長位置、前記第２横長位置及び前記縦長位置にそれぞれ保持する保持手段を備えたことを特徴とする請求項１に記載の電子機器。
【請求項３】
前記保持手段は、
前記第１ガイドピンと前記第２ガイドピンとの間に形成した係合突起と、前記他方の面に形成した第１係合孔、第２係合孔及び第３係合孔とから構成され、
前記第１ガイドピン及び第２ガイドピンの移動に伴い、前記係合突起を前記第１係合孔に係合させることによって前記表示装置を前記第１横長位置に保持し、前記係合突起を前記第２係合孔に係合させることによって前記表示装置を前記第２横長位置に保持し、前記係合突起を前記第３係合孔に係合させることによって前記表示装置を前記縦長位置に保持することを特徴とする請求項２に記載の電子機器。
【発明の詳細な説明】
【技術分野】
【０００１】
本発明は、表示装置を備えた電子機器に関するものである。
【背景技術】
【０００２】
この種の電子機器としては、ノートブック型パーソナルコンピュータが知られている。ノートブック型パーソナルコンピュータ（以下、単に「ノートＰＣ」という）は、本体筐体及び蓋体を備えて構成されている。本体筐体はコンピュータの構成部品を収容した箱体であり、その上面にキーボードが設けられている。蓋体は本体筐体の上面に対向する面に液晶ディスプレイ等の表示装置を備えたものである。この蓋体は、本体筐体に回転可能に支持されており、本体筐体に対して閉じた場合に本体筐体の上面を覆う一方、本体筐体に対して開いた場合に本体筐体の上面を開放するとともに、本体筐体の手前側に向けて表示画面を露出させる。
【０００３】
近年、上記ノートＰＣにおいて、表示装置を蓋体に対して回転可能に支持するように構成したものが検討されている（例えば特許文献１を参照）。このノートＰＣは、表示装置を通常の横長に配置した状態（以下、これを「横長位置」という）から、表示装置を蓋体に対して９０°回転させて縦長に配置した状態（以下、これを「縦長位置」という）に変更することができる。
【０００４】
【特許文献１】特許第３３２２０２１号公報
【発明の開示】
【発明が解決しようとする課題】
【０００５】
ところで、特許文献１に示されるノートＰＣの表示装置を縦長位置に配置した場合、表示装置を横長位置に配置した場合と比べて、表示画面の中央となる位置が高くなる。このため、表示装置を横長位置から縦長位置、あるいは、縦長位置から横長位置に変更すると、表示画面の中央位置がずれるため、使用者が表示画面を見る視線もずれてしまい、使用者が違和感を感じるという問題がある。
【０００６】
本発明は、上記実情に鑑みてなされたもので、横長位置と縦長位置のいずれにも配置可能な表示装置を備えた電子機器において、表示装置を縦長位置から横長位置に変更したとき、あるいは横長位置から縦長位置に変更したときに、使用者の視線がずれることがなく、使用者の違和感を低減させることを目的とする。
【課題を解決するための手段】
【０００７】
上記目的を達成するため、本発明は、本体筐体と、前記本体筐体の上面を開放する開放位置と、前記本体筐体の上面を覆う閉塞位置との間で前記本体筐体に対して回転可能に支持された蓋体と、長方形状を成し、支持機構を介して前記蓋体に支持された表示装置とを備えた電子機器において、前記支持機構は、前記蓋体が開放位置にあるときに、前記表示装置が横長の姿勢で下端部となる長辺部が前記蓋体の下端部に当接する第１横長位置と、横長の姿勢で下端部となる長辺部が前記蓋体の下端部から離隔した第２横長位置との間で移動可能となり、かつ、前記第２横長位置と縦長の姿勢で下端部となる短辺部が前記蓋体の下端部に当接する縦長位置との間で移動可能となるように、前記表示装置の背面またはこれに対向する蓋体のいずれか一方に面に設けられ、前記蓋体を開閉可能に支持するヒンジ部の中心軸から離隔した第１ガイドピンと、前記第１ガイドピンを設けた一方の面に設けられ、前記ヒンジ部の中心軸と前記第１ガイドピンとから離隔した第２ガイドピンと、前記第１ガイドピンと前記第２ガイドピンとを設けた一方の面と対向する他方の面に設けられ、前記ヒンジ部の中心軸と直角方向に真っ直ぐに延在し、前記第１ガイドピンを案内する第１溝部と、前記第１溝部を設けた他方の面に設けられ、前記第１溝部の周囲を取り囲むように、前記第１溝部と平行な直線部と、前記直線部から延在し、前記第１溝部の上端に案内された第１ガイドピンを中心とする円弧部と、前記円弧部から延在した曲線部とを有し、前記第２ガイドピンを案内する第２溝部とを有することを特徴とする。
【０００９】
また、本発明の好ましい態様によれば、前記支持機構が、前記表示装置を前記第１横長位置、前記第２横長位置及び前記縦長位置にそれぞれ保持する保持手段を備えることが望ましい。
【００１０】
また、本発明の好ましい態様によれば、前記保持手段が、前記第１ガイドピンと前記第２ガイドピンとの間に形成した係合突起と、前記他方の面に形成した第１係合孔、第２係合孔及び第３係合孔とから構成され、前記第１ガイドピン及び第２ガイドピンの移動に伴い、前記係合突起を前記第１係合孔に係合させることによって前記表示装置を前記第１横長位置に保持し、前記係合突起を前記第２係合孔に係合させることによって前記表示装置を前記第２横長位置に保持し、前記係合突起を前記第３係合孔に係合させることによって前記表示装置を前記縦長位置に保持することが望ましい。
【発明の効果】
【００１１】
本発明の電子機器は、表示装置を蓋体に対して移動可能に支持させる支持機構を備えたものであり、この支持機構は、表示装置が横長の姿勢で下端部となる長辺部が蓋体の下端部に当接する第１横長位置と、横長の姿勢で下端部となる長辺部が蓋体の下端部から離隔した第２横長位置との間で移動可能となり、かつ、第２横長位置と縦長の姿勢で下端部となる短辺部が蓋体の下端部に当接する縦長位置との間で移動可能となるように構成されている。上記のように構成することで、表示装置を第２横長位置に配置した場合の表示画面の中央位置と、縦長位置に配置した場合の表示画面の中央位置とをほぼ同じ高さにすることが可能となる。その結果、表示装置を縦長位置から第２横長位置、あるいは、縦長位置から第２横長位置に変更した場合に、使用者の視線がずれるといったことがなくなるため、使用者の違和感を低減させることができる。
【発明を実施するための最良の形態】
【００１２】
以下に添付図面を参照して、本発明の電子機器をノートブック型パーソナルコンピュータに適用した場合の好適な実施の形態について詳細に説明する。
【００１３】
図１は、本実施の形態であるノートブック型パーソナルコンピュータ１（以下、単に「ノートＰＣ１」と称する）を示した斜視図である。ここで例示するノートＰＣ１は、本体筐体１０及び蓋体２０を備えている。
【００１４】
本体筐体１０は、図には明示していないが、その内部に制御手段であるＣＰＵや記憶手段であるメモリ、電源装置であるバッテリー等のノートＰＣ１の構成部品を収容した箱体であり、その上面１１にキーボード１２を備えている。キーボード１２は、図示は省略するが、金属板によって構成したベース部材の上面にメンブレンスイッチシート及び複数のキートップ１３を配設して構成した入力装置である。図１に示すように、本体筐体１０の上面１１において手前側に位置する部位にはパームレスト領域１４が確保してあり、このパームレスト領域１４よりも奥側となる部位にキーボード１２が配設してある。
【００１５】
蓋体２０は、本体筐体１０の上面に対向する面に液晶ディスプレイや有機ＥＬディスプレイ等から構成される表示装置３０を備えた平面視長方形状をなすもので、図１に示すように、本体筐体１０の奥側縁部にヒンジ部１５によってその下端部２２が回転可能に支持されている。この蓋体２０は、本体筐体１０に対して開いた場合に本体筐体１０の手前側に向けて表示装置３０の表示画面３２を露出させるとともに、本体筐体１０の上面１１を開放した状態となる。一方、ヒンジ部１５を介して回転させれば、本体筐体１０の上面１１及び表示装置３０を同時に覆うカバーとして機能する。なお、以下の説明では、蓋体２０が本体筐体１０の上面１１を開放した状態における蓋体２０の位置を「開放位置」とよび、蓋体２０が本体筐体１０の上面１１を覆った状態における蓋体２０の位置を「閉塞位置」とよぶ。
【００１６】
表示装置３０は、上述した液晶ディスプレイや有機ＥＬディスプレイをケース体３１に収容した平面視長方形状をなすものである。この表示装置３０は、後述する支持機構４０によって、蓋体２０に対して移動可能に蓋体２０の内側の面２１（図２を参照）に支持されている。
【００１７】
図２〜図４は、図１に示すノートＰＣ１の表示装置３０を蓋体２０に対して移動させた状態を示す図である。表示装置３０は、図１に示すように、その長辺部３４が蓋体２０の下端部２２に当接するように横長に配置された状態と、図１に示す位置から蓋体２０に沿って上方に平行移動し、図２に示すように長辺部３４が蓋体２０の下端部２２から離れた状態、すなわち、本体筐体１０から離れて横長に配置された状態と、図２に示す位置から図３に示すように蓋体２０に沿って左回りに回転させていき、図４に示すように短辺部３５が蓋体２０の下端部２２に当接するように縦長に配置された状態の３つの位置に配置可能に構成してある。以下、図１に示すように、表示装置３０を本体筐体１０に近づけて横長に配置した状態を「第１横長位置」、図２に示すように、表示装置３０を本体筐体１０から離して横長に配置した状態を「第２横長位置」、図４に示すように、表示装置３０を縦長に配置した状態を「縦長位置」とよぶことにする。
【００１８】
図５は、蓋体２０に対して表示装置３０を移動可能に支持させる支持機構４０の分解斜視図である。支持機構４０は、図５に示すように、第１溝部５１及び第２溝部５２が形成されたガイドプレート５０と、第１溝部５１に案内される第１ガイドピン７１と、第２溝部５２に案内される第２ガイドピン７２と、第１ガイドピン７１及び第２ガイドピン７２とを連結するリンク部材６０とから構成されるものである。
【００１９】
ガイドプレート５０は、ステンレス鋼等の金属で構成した平板部材である。第１溝部５１は、ガイドプレート５０の中央部に直線状に形成してある。一方、第２溝部５２は、第１溝部５１の周囲を取り囲むように形成してあり、第１溝部５１と平行な直線状に形成された直線部５２ａと、この直線部５２ａから屈曲して円弧状に延在した後、曲線につながるように形成された曲線部５２ｂとからなるものである。上記のように構成したガイドプレート５０は、第２溝部５２の曲線部５２ｂの円弧部分が上に凸となる状態で、図示せぬビス等の締結部材を用いて蓋体２０の内側の面２１に固定されている（図７〜図１０を参照）。
【００２０】
リンク部材６０は、ステンレス鋼等の金属で構成した細長形状の平板部材であり、その両端部に形成した第１貫通孔６１及び第２貫通孔６２に後述する第１ガイドピン７１及び第２ガイドピン７２をそれぞれ挿通・固定することにより、第１ガイドピン７１及び第２ガイドピン７２を連結するものである。このリンク部材６０は、図５に示すように、第１ガイドピン７１と止め具７３によって、ガイドプレート５０に対して移動可能に取付けられている。上記のように構成したリンク部材６０は、図示しないビス等の締結部材を用いて表示装置３０におけるケース体３１の背面３３に固定されている（図７〜図１０を参照）。
【００２１】
第１ガイドピン７１は、円筒状の本体７１ａの一端部に、本体７１ａよりも直径の大きな頭７１ｂがついたリベット部材である。この第１ガイドピン７１は、リンク部材６０の第１貫通孔６１、摩擦板７４、及び、ガイドプレート５０の第１溝部５１に挿通された状態で、他端部に止め具７３が取付けられることで、第１溝部５１にスライド自在に係合している。ガイドプレート５０とリンク部材６０との間に介装された摩擦板７４は、第１ガイドピン７１が第１溝部５１をスライドする際に所定の摩擦力を与えることにより、使用者が表示装置３０を回転させる際の操作性をよくするものである。
【００２２】
第２ガイドピン７２は、その一端部がリンク部材６０の第２貫通孔６２に挿通・固定され、ガイドプレート５０の第２溝部５２にスライド自在に係合している。なお、図５に示す第２ガイドピン７２には止め具が取付けられていないが、第２溝部５２からの抜け止めを確実に防止するために、第２ガイドピン７２にも止め具を設けてもよい。
【００２３】
上記のように構成した支持機構４０は、使用者が表示装置３０を押し上げ又は回転させるように力を加えると、リンク部材６０を介して表示装置３０に取付けられた第１ガイドピン７１及び第２ガイドピン７２が第１溝部５１及び第２溝部５２に同時に案内されることで、表示装置３０を蓋体２０に対して移動させることができる。より詳細には、第１ガイドピン７１が第１溝部５１、第２ガイドピン７２が第２溝部５２の直線部５２ａを同時に案内されることで、表示装置３０を図１に示す第１横長位置から図２に示す第２横長位置に平行に移動させることができる。また、第１ガイドピン７１を軸心として第２ガイドピン７２が第２溝部５２の曲線部５２ｂを案内されることで、表示装置３０を図２に示す第２横長位置から図４に示す縦長位置に回転させることができる。なお、表示装置３０が第２横長位置と縦長位置との間を移動するのに連動して、表示画面３２の表示が横長表示又は縦長表示に切換わるようになっている。
【００２４】
さらに、表示装置３０を上述した第１横長位置、第２横長位置及び縦長位置の各位置に配置した際に、表示装置３０が勝手に動くのを規制し、表示装置３０を各位置に保持するための手段を適宜設けてもよい。本実施の形態では、図５及び図６に示すように、リンク部材６０の第１貫通孔６１と第２貫通孔６２との間の部分を切り欠くことにより板ばね部６３を形成し、この板ばね部６３に係合突起６４を突設する一方、この係合突起６４に係合する係合孔５３ａ，５３ｂ，５３ｃをガイドプレート５０の所定位置に形成している。
【００２５】
表示装置３０が図１に示す第１横長位置に配置されるときには、リンク部材６０の係合突起６４がガイドプレート５０の係合孔５３ａに係合することで、表示装置３０が第１横長位置に保持される。また、表示装置３０が図２に示す第２横長位置に配置されるときには、係合突起６４が係合孔５３ｂに係合することで、表示装置３０が第２横長位置に保持される。また、表示装置３０が図４に示す縦長位置に配置されるときには、係合突起６４が係合孔５３ｃに係合することで、表示装置３０が縦長位置に保持される。また、係合突起６４が各係合孔５３ａ〜５３ｃに係合した状態にあるときに表示装置３０に力が加えられると、リンク部材６０の板ばね部６３が弾性変形することによって係合突起６４が各係合孔から離脱し、表示装置３０を移動させることができる。
【００２６】
図７〜図１０は、図１〜図４に示したノートＰＣ１の蓋体２０（表示装置３０）を正面から見た図である。以下、図１〜図４及び図７〜図１０を参照しながら、表示装置３０の移動動作について説明する。
【００２７】
図７に示すように、上述した支持機構４０におけるガイドプレート５０は、第２溝部５２における曲線部５２ｂの円弧部分が上に凸となる状態で、蓋体２０の内側の面２１に固定されている。一方、支持機構４０におけるリンク部材６０は、表示装置３０のケース体３１の背面３３に固定されている。
【００２８】
図１に示すように蓋体２０が開放位置にあり、かつ、表示装置３０が第１横長位置に配置されているとき、第１ガイドピン７１は第１溝部５１の最下端部に位置し、第２ガイドピン７２は第２溝部５２の直線部５２ａに位置しており、リンク部材６０の係合突起６４が係合孔５３ａに係合している。この状態から使用者が表示装置３０を押し上げるように力を加えると、リンク部材６０の板ばね部６３が弾性変形して係合突起６４が係合孔５３ａから離脱する。使用者が表示装置３０にさらに力を加えると、第１ガイドピン７１が第１溝部５１、第２ガイドピンが第２溝部５２の直線部５２ａに同時に案内されて上方にスライドし、表示装置３０は第１横長位置から上方に平行移動する。そして、第１ガイドピン７１が第１溝部５１の最上端部に達し、第２ガイドピン７２が第２溝部５２の直線部５２ａの最上端部に達すると、リンク部材６０の係合突起６４が係合孔５３ｂに係合し、表示装置３０が図８に示す第２横長位置に保持される。
【００２９】
図８に示した状態から、使用者が表示装置３０を左回りに回転させるように力を加えると、係合突起６４が係合孔５３ｂから離脱し、図９に示すように、第２ガイドピン７２が、第１溝部５１の最上端部に位置する第１ガイドピン７１を軸心にして、第２溝部５２の曲線部５２ｂの円弧部分に案内されることで、表示装置３０が左回りに回転する。図９に示すように第２ガイドピン７２が曲線部５２ｂの円弧部分の最高部を通過し、曲線部５２ｂを下降し始めると、第１ガイドピン７１も第１溝部５１の最下端部に向かってスライドすることで、表示装置３０が左回りに回転しながら下方に移動していく。そして、第１ガイドピン７１が第１溝部５１の最下端部に達し、かつ、第２ガイドピン７２が第２溝部５２の最下端部に達すると、リンク部材６０の係合突起６４が係合孔５３ｃに係合し、表示装置３０が図１０に示す縦長位置に保持される。
【００３０】
また、表示装置３０が図１０に示す縦長位置に配置された状態から、使用者が表示装置３０を右回りに回転させるように力を加えると、リンク部材６０の係合突起６４が係合孔５３ｃから離脱し、第１ガイドピン７１が第１溝部５１、第２ガイドピン７２が第２溝部５２の曲線部５２ｂを同時に案内されることで、表示装置３０が右回りに回転しながら上方に移動する。そして、第２ガイドピン７２が、第１溝部５１の最上端部に位置する第１ガイドピン７１を軸心にして、曲線部５２ｂの円弧部分に案内されることで表示装置３０が右回りに回転し、リンク部材６０の係合突起６４が係合孔５３ｂに係合することで、表示装置３０が図８に示す第２横長位置に保持される。
【００３１】
この状態から使用者が表示装置３０を下に押し下げるように力を加えると、係合突起６４が係合孔５３ｂから離脱し、第１ガイドピン７１が第１溝部５１、第２ガイドピン７２が第２溝部５２の直線部５２ａに同時に案内されて下方にスライドすることで、表示装置３０が第２横長位置から下方に向けて平行移動する。そして、第１ガイドピン７１が第１溝部５１の最下端部に達し、第２ガイドピン７２が第２溝部５２の直線部５２ａの最下端部に達すると、リンク部材６０の係合突起６４が係合孔５３ａに係合し、表示装置３０が図７に示す第１横長位置に保持される。
【００３２】
なお、上述した支持機構４０では、表示装置３０が第２横長位置と縦長位置との間で回転する間、表示装置３０の角部３６が蓋体２０の下端部２２に接触することがないように、第１溝部５１及び第２溝部５２の形状が設定されている。
【００３３】
また、上述した支持機構４０では、表示装置３０を第２横長位置に配置したときの表示画面３２の中央位置の高さが、縦長位置に配置したときの表示画面３２の中央位置の高さとほぼ同じになるように、第１溝部５１及び第２溝部５２の直線部５２ａの長さが適切に設定されている。
【００３４】
図１１は、表示装置３０を第１横長位置、第２横長位置、縦長位置の各位置に配置したときの表示装置３０（表示画面３２）の中央位置と、各中央位置を見る使用者の視線を概念的に示したものである。図１１に示すように、表示装置３０を第１横長位置から第２横長位置に移動させると、表示装置３０の中央位置が高くなるのに伴い、使用者の視線も上方にずれる。一方、第２横長位置に配置したときの表示装置３０の中央位置は、縦長位置に配置したときの表示装置３０の中央位置とほぼ同じ高さとなっている。従って、表示装置３０を第２横長位置から縦長位置に移動させた場合、あるいは、縦長位置から第２横長位置に移動させた場合に、使用者の視線がずれることはない。
【００３５】
以上説明したように、本実施の形態であるノートＰＣ１は、表示装置３０を蓋体２０に対して移動可能に支持させる支持機構４０を備えたものであり、この支持機構４０によって、表示装置３０を本体筐体１０に近づけて配置する第１横長位置、表示装置３０を本体筐体１０から離して配置する第２横長位置、及び、第２横長位置から９０°回転させた縦長位置との間で表示装置３０を蓋体２０に対して移動可能に支持させるようにした。上記のように構成することで、表示装置３０を第２横長位置に配置した場合の表示画面３２の中央位置と、縦長位置に配置した場合の表示画面３２の中央位置とをほぼ同じ高さにすることが可能となる。その結果、表示装置３０を縦長位置から第２横長位置、あるいは、縦長位置から第２横長位置に変更した場合に、使用者の視線がずれるといったことがなくなるため、使用者の違和感を低減させることができる。
【００３６】
また、一般的に、デスクトップ型パーソナルコンピュータの表示画面の中央位置が使用者の目の高さとほぼ同じ高さであるのに対し、ノートＰＣを通常の横長位置に配置したときの表示画面の中央位置は、使用者の目の高さよりもかなり低くなる。このため、使用者が従来のノートＰＣを使用する際には、デスクトップ型パーソナルコンピュータを使用する場合と比べて視線が下向きになるため、デスクトップ型パーソナルコンピュータに慣れた使用者にとっては使いにくいという問題があった。従って、本実施の形態のノートＰＣによれば、表示装置３０を従来のように本体筐体１０に近づけて配置した位置から、蓋体２０に沿って上方に移動させ、本体筐体１０から離して配置するようにしたことで、通常の横長位置よりも表示画面３２の中央位置を高くすることができる。その結果、ノートＰＣの使い勝手を向上させることができる。
【００３７】
また、本実施の形態であるノートＰＣ１における支持機構４０は、表示装置３０の背面３３に設けられた第１ガイドピン７１及び第２ガイドピン７２と、第１ガイドピン７１を直線状に案内する第１溝部５１と、第２ガイドピン７２を第１ガイドピン７１と平行に案内する直線部５２ａ及び第２ガイドピン７２の回転を案内する曲線部７２ｂとからなる第２溝部５２とを備え、第１ガイドピン７１が第１溝部５１、第２ガイドピン７２が第２溝部５２の直線部５２ａに同時に案内されることにより、表示装置３０を蓋体２０に対して第１横長位置と第２横長位置との間で移動可能に支持させ、第１ガイドピン７１が第１溝部５１、第２ガイドピン７２が第２溝部５２の曲線部７２ｂに同時に案内されることにより、表示装置３０を蓋体２０に対して第２横長位置と縦長位置との間で回転可能に支持させる構成としている。このため、簡易な構成で、表示装置３０を各位置に確実に移動させることができる。
【００３８】
さらに、本実施の形態の電子機器によれば、表示装置３０を第１横長位置、第２横長位置及び縦長位置の各位置にそれぞれ保持する保持手段（係合突起６４及び係合孔５３ａ，５３ｂ，５３ｃ）を備えた構成としたことで、簡易な構成で、表示装置３０を各位置に確実に保持することができる。
【００３９】
なお、上記実施の形態では、ガイドプレート５０を蓋体２０側に固定し、リンク部材６０を表示装置３０側に固定したが、これに限定されるものではなく、リンク部材６０を蓋体２０側に固定し、ガイドプレート５０を表示装置３０側に固定してもよいのはもちろんである。
【００４０】
また、上記実施の形態では、支持機構４０をガイドプレート５０とリンク部材６０とで構成したが、ガイドプレート５０とリンク部材６０を省略してもよい。すなわち、第１溝部５１及び第２溝部５２を蓋体２０の内側の面２１に直接形成するとともに、第１ガイドピン７１及び第２ガイドピン７２を表示装置３０の背面３３に直接設けた構成としてもよい。
【００４１】
また、上記実施の形態では、表示装置３０を第１横長位置、第２横長位置、縦長位置の３つの位置に配置可能な構成としたが、他の位置に配置可能な構成としてもよい。例えば、第２溝部５２の曲線部５２ｂにおいて、円弧部分から滑らかにつながる曲線部分を、第１溝部５１と平行な直線状に形成した場合、表示装置３０を、図４に示す縦長位置から蓋体２０に沿って上方に平行移動させた第２縦長位置に配置することもできる。
【００４２】
また、上記実施の形態では、本発明の電子機器をノートブック型パーソナルコンピュータに適用した例について説明したが、本発明はこれに限定されるものではなく、表示装置を備えたその他の電子機器に適用することも可能である。
【図面の簡単な説明】
【００４３】
【図１】本発明の実施の形態であるノートＰＣを示した概略斜視図であり、表示装置を第１横長位置に配置した状態を示した図である。
【図２】図１に示すノートＰＣの表示装置を第２横長位置に配置した状態を示す図である。
【図３】図２に示すノートＰＣの表示装置を第２横長位置から所定角度回転させた状態を示す図である。
【図４】図３に示すノートＰＣの表示装置をさらに回転させ縦長位置に配置した状態を示す図である。
【図５】支持機構の分解斜視図である。
【図６】支持機構のリンク部材の一部を拡大して示した図である。
【図７】図１に示したノートＰＣの蓋体部分の正面図である。
【図８】図２に示したノートＰＣの蓋体部分の正面図である。
【図９】図３に示したノートＰＣの蓋体部分の正面図である。
【図１０】図４に示したノートＰＣの蓋体部分の正面図である。
【図１１】表示装置を第１横長位置、第２横長位置、縦長位置に配置したときの表示画面の中央位置と、各中央位置を見る使用者の視線を概念的に示したものである。
【符号の説明】
【００４４】
１      ノートブック型パーソナルコンピュータ（電子機器）
１０      本体筐体
１１      本体筐体の上面
１２      キーボード
１３      キートップ
１４      パームレスト領域
１５      ヒンジ部
２０      蓋体
２１      蓋体の内側の面
２２      蓋体の下端部
３０      表示装置
３１      ケース体
３２      表示画面
３３      ケース体の背面
３４      長辺部
３５      短辺部
３６      角部
４０      支持機構
５０      ガイドプレート
５１      第１溝部
５２      第２溝部
５２ａ    直線部
５２ｂ    曲線部
５３ａ，５３ｂ，５３ｃ  係合孔（保持手段）
６０      リンク部材
６１      第１貫通孔
６２      第２貫通孔
６３      板ばね部
６４      係合突起（保持手段）
７１      第１ガイドピン
７１ａ    （第１ガイドピンの）本体
７１ｂ    （第１ガイドピンの）頭
７２      第２ガイドピン
７３      止め具
７４      摩擦板
【図１】
0004764448.tif 000002
【図２】
0004764448.tif 000003
【図３】
0004764448.tif 000004
【図４】
0004764448.tif 000005
【図５】
0004764448.tif 000006
【図６】
0004764448.tif 000007
【図７】
0004764448.tif 000008
【図８】
0004764448.tif 000009
【図９】
0004764448.tif 000010
【図１０】
0004764448.tif 000011
【図１１】
0004764448.tif 000012